(57)【要約】【課題】出金時、正常でない包装硬貨が多数存在する場合、スペース効率良く包装硬貨を回収する。【解決手段】複数のレーンからあるレーンを選択して、包装硬貨を繰出す包装硬貨処理装置において、金種判定部の判定によって正常でない包装硬貨と判断された時、その包装硬貨を回収する回収部と、包装硬貨の繰り出しを制御する制御部と、各レーンから該回収部に回収された包装硬貨の本数を記憶する記憶手段とを設ける。制御部は、出金の繰り出し開始時に、記憶手段で記憶している各レーンからの回収済み包装硬貨の本数を回収部の容量から減算して各レーンの空き容量を算出し、各レーンのうち該回収部の空き容量が多いレーンを選択して包装硬貨を繰出す。【選択図】図２
2010079854.tif 000002
【特許請求の範囲】
【請求項１】
複数枚の硬貨を包装した包装硬貨を、複数のレーンを用いて繰出して出金する包装硬貨処理装置であって、
前記各レーンは、複数の包装硬貨を金種別に収納する複数のトレイを収容するトレイ収納部と、該トレイ収納部から包装硬貨を１本ずつ繰り出すことができる包装硬貨繰り出し部と、繰り出された包装硬貨を搭載して移動するバケットと、該包装硬貨繰り出し部で包装硬貨の金種判定を行う金種判定部を有し、かつ、
該金種判定部の判定によって正常でない包装硬貨と判断された時、その包装硬貨を回収する回収部と、包装硬貨の繰り出しを制御する制御部を有し、該制御部は、複数のレーンのうち該回収部の空き容量が多いレーンを選択して、選択された該レーンの前記包装硬貨繰り出し部から包装硬貨の繰出しを行うように制御することを特徴とする包装硬貨処理装置。
【請求項２】
前記各レーンから該回収部に回収された包装硬貨の本数を記憶する記憶手段を有し、
該制御部は、出金の繰り出し開始時に、該記憶手段で記憶されている各レーンからの回収済み包装硬貨の本数を該回収部の容量から減算して各レーンの空き容量を算出し、各レーンのうち該回収部の空き容量が多いレーンを選択して、該選択されたレーンから包装硬貨の繰出すように制御することを特徴とする請求項１の包装硬貨処理装置。
【請求項３】
前記回収部の包装硬貨が回収された時、前記制御部は前記記憶手段に記憶されている包装硬貨の回収本数の情報をリセットすることを特徴とする請求項１又は２の包装硬貨処理装置。
【発明の詳細な説明】
【技術分野】
【０００１】
本発明は、金融機関等で利用される自動両替装置や釣銭販売機などに適用される、包装硬貨を取扱う包装硬貨処理装置に関するものである。
【背景技術】
【０００２】
従来の包装硬貨処理装置として、包装硬貨が金種別に収納されたトレイを複数段に複数レーン装填できるトレイ収納部と、この収納部から包装硬貨を１本ずつ繰り出し可能な包装硬貨繰り出し部と、繰り出した包装硬貨を顧客へ受け渡すバケットと、包装硬貨繰り出し部で包装硬貨の金種判定を行う金種判定部から構成されるものが知られている。
【０００３】
この包装硬貨処理装置は、出金時に金種判定部が包装硬貨金種を特定できない時にエラーとなるため、バケットに残っている正常でない包装硬貨を係員に除去させることになり、その間は出金取引を停止させるために、包装硬貨処理装置の稼動効率が悪いという問題がある。
【０００４】
また、包装硬貨処理装置の稼動効率の向上を考慮したものとして、例えば、特許文献1（特開２００６−４１０２公報）には、金種判定部が正常でない包装硬貨と判断した時、その包装硬貨を退避部に搬送し、その後再度包装硬貨の取込みを続行させる包装硬貨処理装置が開示されている。これによれば、出金時に正常でない包装硬貨があった場合でも継続して包装硬貨を繰り出し、装置の稼動効率を向上することができる。
【０００５】
【特許文献１】特開２００６−４１０２公報（特願２００４−１７８７３２）
【発明の開示】
【発明が解決しようとする課題】
【０００６】
従来の包装硬貨処理装置は、一般に包装硬貨を搬送する複数のレーンを有し、同じレーンから優先して出金する。このため、正常でない包装硬貨が多数有る場合、回収部の一部のみに包装硬貨が集中して集積する。その結果、他のレーンの回収部空間がまだ空いているにも拘わらず、一部に集中、集積した包装硬貨があふれてしまうことがある。
【０００７】
その対策として、例えば一つのレーンからのみ回収した包装硬貨でも所定の回収部容量を満たすために、回収部を大きくせざるを得ない。また、上端に満杯を検知するセンサを備えている装置では、他のレーンの回収部空間がまだ空いているのに、満杯を検知してしまうという不具合を生じる。
【０００８】
本発明の目的は、出金時、正常でない包装硬貨が多数存在する場合、スペース効率良く包装硬貨を回収することができる包装硬貨処理装置を提供することにある。
【課題を解決するための手段】
【０００９】
本発明は、好ましくは、複数枚の硬貨を包装した包装硬貨を、複数のレーンを用いて繰出して出金する包装硬貨処理装置であって、前記各レーンは、複数の包装硬貨を金種別に収納する複数のトレイを収容するトレイ収納部と、該トレイ収納部から包装硬貨を１本ずつ繰り出すことができる包装硬貨繰り出し部と、繰り出された包装硬貨を搭載して移動するバケットと、該包装硬貨繰り出し部で包装硬貨の金種判定を行う金種判定部を有し、かつ、
該金種判定部の判定によって正常でない包装硬貨と判断された時、その包装硬貨を回収する回収部と、包装硬貨の繰り出しを制御する制御部を有し、該制御部は、複数のレーンのうち該回収部の空き容量が多いレーンを選択して、選択された該レーンの前記包装硬貨繰り出し部から包装硬貨の繰出しを行うように制御することを特徴とする包装硬貨処理装置として構成される。
【００１０】
好ましい例においては、前記各レーンから該回収部に回収された包装硬貨の本数を記憶する記憶手段を有し、該制御部は、出金の繰り出し開始時に、該記憶手段で記憶されている各レーンからの回収済み包装硬貨の本数を該回収部の容量から減算して各レーンの空き容量を算出し、各レーンのうち該回収部の空き容量が多いレーンを選択して、該選択されたレーンから包装硬貨の繰出すように制御する。
【発明の効果】
【００１１】
本発明によれば、包装硬貨の回収部の容量と各レーンからの回収済み本数を把握し、出金するレーンを決定することにより、回収部の省スペース化を実現することができる。
【発明を実施するための最良の形態】
【００１２】
以下、図面を参照して、本発明の実施例について説明する。
この例は、金融機関に設置され、顧客や係員の操作により釣銭用包装硬貨の出金等の取引を行う釣銭販売機に適用された包装硬貨処理装置について述べるものである。
図１は、包装硬貨の販売に使用される釣銭販売機の外観図を示す。
【００１３】
釣銭販売機１１は、その正面に、利用者に対する利用方法を示すガイダンスを表示し、また利用者がガイダンスの手順に従い希望する取引内容を選択入力する操作・表示部１２と、利用者が両替を希望する硬貨、釣銭販売に必要な手数料を投入するための硬貨投入口１５を備えている。
【００１４】
釣銭販売機１１は、また、両替のための紙幣を投入できる紙幣投入口１４と、投入された紙幣を計数し収納する機能を持つ紙幣処理装置１３と、釣銭として利用者へ包装硬貨を放出し、利用者が包装硬貨を取出し、受取りできる包装硬貨出金口１７と、払出す包装硬貨を格納、繰り出し、放出する包装硬貨処理装置１６を備えている。
紙幣投入口１４、包装硬貨取出口１７はいずれも釣銭販売機１１の前面に開口部として位置し、利用者が紙幣投入、包装硬貨受取りができる。
【００１５】
図２は包装硬貨処理装置１６の内部構造を示す側面図である。
図示のように、包装硬貨処理装置１６は、主に、包装硬貨２４を取り出す機構のフィーダ部２１と、硬貨トレイ２９を収納するワゴン部２６を備えて構成される。フィーダ部２１は硬貨トレイ２９に対して前側に配置される。
【００１６】
ワゴン部２６は、２つ以上の同一構造とする硬貨トレイ２９を垂直方向に積上げ状に配置され、フィーダ部２１に面する側を下方になるように、斜めに配置されている。硬貨トレイ２９のワゴン部２６に対面する側面には、装填された包装硬貨２４の金種を識別する媒体情報２８が付されている。
【００１７】
硬貨トレイ２９は、例えば、５００円硬貨、１００円硬貨、５０円硬貨、１０円硬貨、５円硬貨、１円硬貨について、同一金種硬貨を重ね合わせて棒状に包装した包装硬貨２４を同一金種毎にまとめて横一線状に装填する。なお、各硬貨トレイ２９はワゴン部２６内の何れの位置にも収納できるように同一構造となっている。各硬貨トレイ２９の下には、トレイの底面に接触して硬貨トレイ２９の定位置状態を検出するトレイ定位置センサ３９が配置される。
【００１８】
フィーダ部２１にはバケット２３とバケット昇降モータ２５が備えられる。バケット２３はその上面が開口した直方体形状であり、ガイドレール３１に沿ってフィーダ部２１内を上下に移動する可能な構造である。即ち、バケット２３には駆動ベルト３６に固定され、バケット昇降モータ２５の回転によってこの駆動ベルト３６が駆動されて、フィーダ部２１内を上昇移動し、重力によって下降移動することができる。また、バケット２３はロック機構３５により位置固定される構造となっており、ソレノイド３７またはレバー３８によりロッド４０を介して駆動される。バケット２３内部には、硬貨トレイ２９に装填された包装硬貨２４をバケット２３へ繰り出すための繰り出しアーム２７が設けられる。繰り出しアーム２７は例えばＴ字型形状を成し、円弧状に回転運動できる構造である。
【００１９】
ワゴン部２６とフィーダ部２１の間には、媒体情報２８の読取り位置ならびにバケット２３の繰り出し停止位置を示すスリットレイル３３が取付けられている。バケット２３の側面には、回転可能なローラ形状をしたエンコーダ３２が取付けられ、このエンコーダ３２は、ガイドレール３１に接触しており、バケット２３の上下移動に同期しながら回転される。
【００２０】
フィーダ部２１の上面には、上下移動できる各硬貨トレイ２９の上端停止位置に相当する場所に、各硬貨トレイ２９より繰り出した包装硬貨２４をバケット２３から取出すために水平方向に開閉移動できる出金口シャッタ２２が設けられる。出金口シャッタ２２の付近には、バケット２３内の包装硬貨２４の有無を検出することができる抜取検知センサ３４が配置される。
また、硬貨トレイ２９のワゴン部２６に対面する側には、各硬貨トレイ２９に付加された媒体情報２８を読取る機能、及び上下に昇降移動するバケット２３を繰り出し位置に停止させる検知機能、及び硬貨トレイ２９の空状態を検知する機能を実現するセンサ３０が配置される。
【００２１】
なお、上記各機構部の動作を制御して包装硬貨の繰り出しを行うために、制御部（図示せず）が用意される。制御部は、プロセッサ及びメモリ等の記憶手段を有し、プロセッサでプログラムを実行して所定の制御動作を行う。
【００２２】
図３は包装硬貨処理装置１６の平面図を示す。
この図は、それぞれフィーダ部２１とワゴン部２６から構成される２つのレーン（レーンＡ４５、レーンＢ４６）と、各レーンの前方に位置する回収部４３の配置関係を示す。レーンＡ４５とレーンＢ４６は、包装硬貨処理装置１６内に並列に配置される。各レーンの前方にある回収部４３の上端には、包装硬貨の満杯を検知する満杯検知センサ４４が配置される。満杯検知センサ４４は、例えば発光素子と受光素子から成る光学センサであり、回収部４３に回収された包装硬貨が一定の高さを越えて、光路を遮光すると、満杯検知センサ４４が満杯状態を検知する。なお、この例では、包装硬貨処理装置１６はレーンＡ４５とレーンＢ４６の２レーンを有するが、３レーン以上の配列でもよい。
【００２３】
包装硬貨処理装置１６は、出金時にその準備動作として、初期位置がフィーダ部２１の上端位置にあるバケット２３を下端位置まで移動する。バケット２３が下降に移動した時、トレイ２９に付加された媒体情報２８を読取る。釣銭販売機１１からの出金指示により、読取った媒体情報２８を基に、出金しようとする金種の包装硬貨２４が装填されているトレイ２９から繰り出すために、バケット昇降モータ２５を駆動し、バケット２３を上昇させ、繰り出す金種が装填されている硬貨トレイ２９に位置合せした後、停止させる。
【００２４】
バケット２３を停止した後、バケット２３に設けた繰り出しアーム２７を硬貨トレイ２９側へ移動させ、包装硬貨２４を繰り出し、繰り出しアーム２７をバケット２３側へ移動させて、バケット２３に収納する。出金指示された種類の包装硬貨２４を各硬貨トレイ２９よりバケット２３へ繰り出した後、バケット２３を上端位置まで上昇させ、停止させる。バケット２３を停止した後、利用者が包装硬貨２４を取出せるように出金口シャッタ２２を開く。その後、利用者が包装硬貨２４を抜取ったことを抜取検知センサ３４が検出すると、出金口シャッタ２２を閉じる。
【００２５】
次に、図４を参照して釣銭販売機１１の取引動作について説明する。
動作フローは、包装硬貨処理装置１６の動作フローＭ２と、包装硬貨処理装置１６を備える釣銭販売機動作フローＭ１を対比して示している。
利用者は操作・表示部１２を操作して、釣銭販売機１１からのガイダンスに従い、両替を希望する金額、金種等の内容である両替取引内容を選択する（Ｓ１）。この時、釣銭販売機１１は、包装硬貨処理装置１６に対して、事前に出金準備動作（Ｓ１１）として、動作指示１（Ｍ３）を指示する。
【００２６】
利用者は、選択した内容に従い、両替を行う元金を投入する（Ｓ２）。続いて両替のための手数料を投入する（Ｓ３）。釣銭販売機１１は包装硬貨処理装置１６に対し、動作指示２（Ｍ４）として出金、放出動作を行う。最後に、釣銭販売機１１は包装硬貨処理装置１６により、出金、放出された包装硬貨を利用者へ受取りを行う（Ｓ５）。
【００２７】
次に、図５を参照して、釣銭販売機１１より動作指示される包装硬貨処理装置１６の処理動作について説明する。各処理動作は、制御部のプロセッサでプログラムを実行することで行われる。
包装硬貨処理装置１６は、出金準備動作Ｓ１１として、ソレノイド３７の励磁によりロック機構３５を解除し、バケット２３を移動可能にする（Ｌ１）。続いて、バケット２３を初期位置である上端より下端へ移動する（Ｌ２）。バケット２３の下降移動中に、エンコーダ３２が検出する移動速度と同期を取りながら、読取りセンサＬ３５及び読取りセンサＲ３６によりトレイ２９に付加された媒体情報２８を読み取る。同時に空検知センサ３８によりトレイ２９の空状態を検出し、それらの情報を制御部のメモリに記憶する（Ｌ３）。
【００２８】
次に、出金、放出動作において（Ｓ１２）、包装硬貨処理装置１６は、バケット２３を下端に移動後、ステップＬ３で取得した情報と、メモリに記憶している情報を基に、繰り出そうとする金種が装填されるレーンＡ４５またはレーンＢ４６の何れかのトレイ２９を決定する（Ｌ１０１、Ｌ４）。
【００２９】
レーンＡ４５またはレーンＢ４６の選択については、メモリに記憶されている回収部の空き容量と、それまでの各レーンからの回収済み本数との情報に基づき、回収部の容量から各レーンからの回収済み包装硬貨の本数を減算して各レーンの空き容量を算出し、回収部空き容量が大きいレーンを優先して選択する。例えば、１円の包装硬貨５本の出金指示があった場合、前回までの取引で各レーンの回収本数が、レーンＡ４５が２本、レーンＢ４６が１０本あったとすると、制御部のプロセッサは空き容量が多いレーンＡ４５に繰り出すように出金指示のコマンドを発行する。
【００３０】
次に、決定した繰り出しトレイ位置のトレイ２９へバケット２３を移動する（Ｌ５）。位置合せした後、繰り出しアーム２７にて必要な本数の包装硬貨２４を繰り出し、取出す。１回の繰り出し動作によってトレイ２９から繰出せる包装硬貨２４は１本である（Ｌ６）。繰り出したトレイ２９の金種と位置情報はメモリに記憶し、次回以降の出金時に使用する（Ｌ７）。
【００３１】
次に、その繰り出し動作に対してリジェクトが発生したかを確認する（Ｌ１０２）。リジェクトが発生していた場合は、その取引のレーンと回収部への回収本数をメモリに記憶する。トレイ２９から包装硬貨２４を１本繰り出す度に、指示本数分の包装硬貨の繰り出しが完了したか判断する（Ｌ８）。その結果、未完了の場合、更にトレイ２９が空状態か判断する（Ｌ９）。その結果、空状態でなければ繰り出し動作を継続し（Ｌ６）、空状態の場合には再度、繰り出し位置決定を行う（Ｌ４）。
【００３２】
前述した、トレイ２９から包装硬貨の繰り出しが完了した場合には、（Ｌ８）釣銭販売機１１から指示された包装硬貨について、全ての繰り出しトレイからの繰り出しが完了したか判断する（Ｌ１０）。その結果、未完了の場合には、繰り出し位置決定した次の繰り出しトレイ位置へバケット移動して（Ｌ５）、繰り出しを継続する。
【００３３】
一方、全てのトレイから包装硬貨の繰り出しが完了した場合には（Ｌ１０）、包装硬貨２４を取出したバケット２３は上端位置へ移動し、包装硬貨２４を放出する（Ｌ１１）。最後に、ソレノイド３７の励磁を解除し、ロック機構３５によりバケット２３をロックする（Ｌ１２）。
【００３４】
次に、図６を参照して、包装硬貨処理装置１６の出金処理で金種判定できなかった場合の回収動作について説明する。各処理動作は、制御部のプロセッサでプログラムを実行することで行われる。
金種が判定できなかった場合、上記出金動作に加えて、図６に示す処理が行われる。出金処理の動作中に金種判定できない包装硬貨２４があった場合は、繰り出しを中止しバケット２３を移動する（Ｌ６０１）。指定の包装硬貨を繰出し（Ｌ６０２）、その金種判定を行なう（Ｌ６０３）。なお、判定動作は外径検知センサ５３と包装硬貨穴検知センサ５４、２本出し検知センサ５２の結果を組み合わせて行う。
【００３５】
指定の金種が放出されたかの判定の結果（Ｌ６０４）、正常でない包装硬貨と判断した場合には繰り出し動作を中断し（Ｌ６０７）、バケット２３を上端の回収位置まで移動する（Ｌ６０８）。その後、回収部上部までバケットを移動し、リジェクトシャッタ開閉ソレノイド５６を駆動してリジェクトシャッタ４２を開く。トレイ２９より繰り出された包装硬貨２４はバケット２３内に設けられた傾斜を転がって回収部４３に収納される（Ｌ６０９）。
【００３６】
回収部４３に回収された包装硬貨が積み重なり、一定の高さを超えると、満杯検知センサ４４を遮光して、満杯を検知する。リジェクト回収が終了した後、バケット２３内の残留検知センサの状態を確認し、全てのセンサで空検知できていればリジェクトシャッタ４２を閉してリジェクト回収動作を終了とする。回収された包装硬貨の本数の情報はメモリに記憶される。
【００３７】
一方、上記の指定の金種が放出されたかの判定の結果（Ｌ６０４）、正常の包装硬貨と判断した場合には、バケット２３を上端位置まで移動して（Ｌ６０５）、出金口シャッタ２２を開いて包装硬貨を放出して（Ｌ６０６）、一連の動作を終了する。
【００３８】
本実施例に係る出金処理は、前述の通り、図５に示すフローに沿って処理されるが、正常でない包装硬貨があった場合には、図６に示す処理で繰り出した包装硬貨の回収処理を実施する。正常でない取引において、回収部に回収された包装硬貨の本数は制御部のメモリに記憶される。その回収された包装硬貨の本数の情報を基に出金時の繰り出しするレーンを選択する。そして、回収部の包装硬貨が係員により回収されると、メモリに記憶されている回収本数のカウントをリセットして０から始める。
【００３９】
以上、本実施例によれば、記憶手段に記憶されている各レーンからの回収済みの包装硬貨本数の情報を基に、回収部の空いているスペースを判断して集積させるので、スペース効率が高く、回収部の仕様通りの容量を確保することができる。また、未だ回収部の容量に空きがあるうちに、金種判定できなかった包装硬貨の係員による回収が必要なくなり、装置を停止する必要もなくなるため、装置の稼動効率を向上させることができる。
【００４０】
なお、上記実施例では釣銭販売機内に包装硬貨処理装置を備える例について説明したが、これに限らない。例えば、希望する貨幣に両替する貨幣両替機や、硬貨を取扱う貨幣入出金機等、硬貨を所定枚数重積して包装した包装硬貨を収納し、昇降する収納部から上記包装硬貨を放出する装置であって、繰り出した包装硬貨が正常でないと判定した時の回収機能を備えた包装硬貨処理装置全般に適用することができる。
【図面の簡単な説明】
【００４１】
【図１】釣銭販売機の概観を示す図。
【図２】一実施例における包装硬貨処理装置の内部構成を示す側面図。
【図３】一実施例における包装硬貨処理装置の平面図。
【図４】一実施例における釣銭販売機の取引動作フローを示す図。
【図５】一実施例における包装硬貨処理装置における処理動作フローを示す図。
【図６】一実施例における包装硬貨金種を特定できない時の処理動作を示すフロー図。
【符号の説明】
【００４２】
１１：釣銭販売機、１２：操作・表示部、１３：紙幣処理機、１４：紙幣投入口、１５：硬貨投入口、１６：包装硬貨処理装置、１７：包装硬貨取出口、２１：フィーダ部、２２：取出口シャッタ、２３：バケット、２４：包装硬貨、２５：バケット昇降モータ、２６：ワゴン部、２７：繰り出しアーム、２８：媒体情報、２９：トレイ、３０：センサ、３１：ガイドレール、３２：エンコーダ、３３：スリットレイル、３４：抜取検知センサ、３５：読取りセンサＬ、３６：読取りセンサＲ、３７：スリットセンサ、３８：空検知センサ、３９：トレイ定位置センサ、４０：ロッド、４１：ロック金具、４２：リジェクトシャッタ、４３：回収部、４４：満杯検知センサ、４５：レーンＡ、４６：レーンＢ、４７：繰り出し部、５２：２本出し検知センサ、５３：包装硬貨外径検知センサ、５４：包装硬貨穴検知センサ、５５：リジェクトシャッタ開閉ソレノイド、５６：金種判定部。
【図１】
2010079854.tif 000003
【図２】
2010079854.tif 000004
【図３】
2010079854.tif 000005
【図４】
2010079854.tif 000006
【図５】
2010079854.tif 000007
【図６】
2010079854.tif 000008